(57)【要約】【課題】挿入した針金や棒等をサムターンに引っ掛けて、サムターンを回転することによる不正解錠を阻止する。【解決手段】錠箱を備えた扉に取り付けられる防犯サムターンユニットＣであって、扉の屋内側に取付けられるサムターン箱１１と、キー状の挿入部１９ｂを有する操作部材１９と、サムターン箱１１に回動自在に内設され操作部材１９の挿入部１９ｂが挿入されるキー孔２１ａを有しキー孔２１ａがサムターン箱１１に穿設した操作穴１３から屋内側へ表出されるキーガイド２１と、サムターン箱１１に回動自在に内設されるとともにキーガイド２１の回動に従動し、先端部２５ａを錠箱Ａに連結して操作力を入力するサムターンコア２５と、サムターン箱１１にスライド自在に設けられ一方のスライド位置で操作穴１３を開口させるとともに他方のスライド位置で操作穴１３を閉鎖する開閉板２９とを設けた。【選択図】      図１
2005009181.tif 000002
【特許請求の範囲】
【請求項１】
屋外側からのシリンダー錠の施解錠操作によって錠箱内の施錠ボルトが進退する扉に取り付けられる防犯サムターンユニットであって、
前記扉の屋内側に取付けられるサムターン箱と、
キー状の挿入部を有する操作部材と、
前記サムターン箱に回動自在に内設され該操作部材の挿入部が挿入されるキー孔を基端面に有し該キー孔が前記サムターン箱に穿設した操作穴から屋内側へ表出されるキーガイドと、
前記サムターン箱に回動自在に内設されるとともに該キーガイドの回動に従動し、先端部を前記錠箱に連結して操作力を入力するサムターンコアと、
前記サムターン箱にスライド自在に設けられ一方のスライド位置で前記操作穴を開口させるとともに他方のスライド位置で前記操作穴を閉鎖する開閉板と、
を具備したことを特徴とする防犯サムターンユニット。
【請求項２】
請求項１記載の防犯サムターンユニットであって、
前記サムターン箱に設けられ前記開閉板のスライドを阻止して前記一方のスライド位置及び前記他方のスライド位置に該開閉板を保持するストッパとを具備したことを特徴とする防犯サムターンユニット。
【請求項３】
請求項１又は２記載の防犯サムターンユニットであって、
前記開閉板を前記他方のスライド位置へ付勢する付勢手段を具備したことを特徴とする防犯サムターンユニット。
【請求項４】
請求項１又は２又は３記載の防犯サムターンユニットであって、
前記キー孔が、屋外側シリンダー錠の鍵穴と同形状で形成されていることを特徴とする防犯サムターンユニット。
【請求項５】
請求項１，２，３，４のいずれか１つに記載の防犯サムターンユニットであって、
前記キーガイドが、シリンダー錠であることを特徴とする防犯サムターンユニット。
【請求項６】
請求項１，２，３，４，５のいずれか１つに記載の防犯サムターンユニットであって、
前記サムターン箱に内設され前記サムターンコアの回転に従動して該サムターンコアの回転状態を前記サムターン箱に穿設した開口窓から外部へ示す標示手段を具備したことを特徴とする防犯サムターンユニット。
【請求項７】
請求項１，２，３，４，５，６のいずれか１つに記載の防犯サムターンユニットであって、
前記サムターン箱の屋外側の面に、前記キーガイドの底部を覆う有底筒状の防犯カバー部材を固設したことを特徴とする防犯サムターンユニット。
【発明の詳細な説明】
【０００１】
【発明の属する技術分野】
本発明は、扉の施解錠操作に用いられるサムターンを有効又は無効にして防犯性の向上を図る防犯サムターンユニットに関する。
【０００２】
【従来の技術】
従来、サムターン付きの施錠装置は、扉などの開閉体に錠箱が内蔵され、錠箱には、開閉体の屋外側に露出するシリンダー錠と、開閉体の屋内側に露出する回転式のサムターンとが設けられている。
錠箱には、ロック部材である例えばデッドボルトが開閉体の端面（木口）から進退自在に設けられている。
【０００３】
この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。
また、屋内側からは、サムターンの摘みが回転操作されるのみで、デッドボルトが進退され、開閉体の施解錠が簡便に行えるようになっている。
【０００４】
【特許文献１】
特許第３２８４８８４号公報  （図１）
【０００５】
【発明が解決しようとする課題】
近年、マンションや住宅の玄関扉等の開閉体、或いはこれら玄関扉等の開閉体近傍における開口枠体の周囲である壁部分に、高級感や優美性を高める目的で、ガラス板を嵌め込んだ小窓が多用されるようになってきている。
ところが、このような小窓を有する開閉体や、近傍に小窓が設けられた開閉体では、小窓のガラス板が割られると、外部から手を差し入れて開閉体のサムターンを不正に操作したり、先端を鉤状に曲げた針金や棒等を挿入して、サムターンが不正に操作されてしまう虞れがある。
【０００６】
一般的に、扉に多用される回転式のサムターンは、上記特許文献１の図１にあるように屋内側に露出する摘みが回動中心から半径方向外側に翼部を張り出させた形状であるため、この翼板部に、針金等を曲げた鉤状先端を掛止し、回転モーメントを与えることにより不正な解錠操作が可能となる場合があった。
また、サムターンは、上記した小窓の無い開閉体においても、郵便ポストの投入開口など、針金を挿入する穴や隙間が開閉体自体或いは開閉体近傍の壁部にあれば、同様に不正解錠される虞があった。
【０００７】
本発明は上記状況に鑑みてなされたもので、挿入した針金や棒等をサムターンに引っ掛けて、サムターンを回転することによる不正解錠を阻止できる防犯サムターンユニットを提供し、防犯性の向上を図ることを目的とする。
【０００８】
【課題を解決するための手段】
次に、上記の課題を解決するための手段を、実施の形態に対応する図面を参照して説明する。
この発明の請求項１記載の防犯サムターンユニットＣは、屋外側からのシリンダー錠３の施解錠操作によって錠箱Ａ内の施錠ボルトが進退する扉１に取り付けられる防犯サムターンユニットＣであって、
前記扉１の屋内側に取付けられるサムターン箱１１と、
キー状の挿入部１９ｂを有する操作部材１９と、
前記サムターン箱１１に回動自在に内設され該操作部材１９の挿入部１９ｂが挿入されるキー孔２１ａを基端面２１ｂに有し該キー孔２１ａが前記サムターン箱１１に穿設した操作穴１３から屋内側へ表出されるキーガイド２１と、
前記サムターン箱１１に回動自在に内設されるとともに該キーガイド２１の回動に従動し、先端部２５ａを前記錠箱Ａに連結して操作力を入力するサムターンコア２５と、
前記サムターン箱１１にスライド自在に設けられ一方のスライド位置イで前記操作穴１３を開口させるとともに他方のスライド位置ロで前記操作穴１３を閉鎖する開閉板２９と、
を具備したことを特徴とする。
【０００９】
この防犯サムターンユニットＣでは、屋内から回転操作力を錠箱Ａへ入力するには、操作部材１９をキーガイド２１に挿入し、サムターンコア２５を回転させて、錠箱Ａへ回転力を入力しなければならない。従って、外出時や就寝時等、操作部材１９が抜かれている状態では、針金や棒等を用いて摘みを回転操作する不正解錠が阻止される。さらに、操作部材１９が抜かれている状態では、開閉板２９によって操作穴１３が閉鎖可能となるので、キーガイド２１のキー孔２１ａを覆って、キー孔２１ａに針金や棒等を引っ掛けることによるキーガイド２１の回転操作も阻止され、不正解錠のより確実な防止が可能となる。
【００１０】
請求項２記載の防犯サムターンユニットＣは、請求項１記載の防犯サムターンユニットＣであって、前記サムターン箱１１に設けられ前記開閉板２９のスライドを阻止して前記一方のスライド位置イ及び前記他方のスライド位置ロに該開閉板２９を保持するストッパ３３を具備したことを特徴とする。
【００１１】
この防犯サムターンユニットＣでは、ストッパ３３によって開閉板２９が一方のスライド位置イに保持可能となり、操作穴１３が開放状態のままとなって、操作性が良好となる。また、閉鎖された操作穴１３は、ストッパ３３を解除しながら、開閉板２９をスライドしなければ開口させることができず、複数の指による操作が必要となって、不正解錠に対する防犯性が高まる。
【００１２】
請求項３記載の防犯サムターンユニットＣは、請求項１又は２記載の防犯サムターンユニットＣであって、前記開閉板２９を前記他方のスライド位置ロへ付勢する付勢手段３１を具備したことを特徴とする。
【００１３】
この防犯サムターンユニットＣでは、開閉板２９が常に付勢手段３１によって付勢されており、他方のスライド位置ロである操作穴１３の閉鎖状態を保とうとすることとなる。すなわち、操作穴１３が開放状態のままとならず、自動的にスライドして閉鎖状態が保たれる。また、この付勢手段３１とストッパ３３とを備える構成とすることで、閉鎖された操作穴１３は、ストッパ３３を解除しながら、開閉板２９を付勢力に抗してスライドしなければ開口させることができず、複数の指による操作が必要となって、不正解錠に対する防犯性が高まる。さらに、開口状態の操作穴１３は、ストッパ３３を操作することで、付勢手段３１の付勢力によって開閉板２９が自動的にスライドされて閉鎖され、防犯状態への移行が容易となり、操作性が高まる。
【００１４】
請求項４記載の防犯サムターンユニットＣは、請求項１又は２又は３記載の防犯サムターンユニットＣであって、前記キー孔２１ａが、屋外側シリンダー錠３の鍵穴５と同形状で形成されていることを特徴とする。
【００１５】
この防犯サムターンユニットＣでは、屋外、屋内での施解錠操作が、１つの合鍵で行えるようになり、操作性が向上する。
【００１６】
請求項５記載の防犯サムターンユニットＣは、請求項１，２，３，４のいずれか１つに記載の防犯サムターンユニットＣであって、前記キーガイド２１が、シリンダー錠であることを特徴とする。
【００１７】
この防犯サムターンユニットＣでは、合鍵のみでしかキーガイド２１が回転操作できなくなり、針金や棒等を用いた不正解錠に対する防犯性がさらに高められる。
【００１８】
請求項６記載の防犯サムターンユニットＣは、請求項１，２，３，４，５のいずれか１つに記載の防犯サムターンユニットＣであって、前記サムターン箱１１に内設され前記サムターンコア２５の回転に従動して該サムターンコア２５の回転状態を前記サムターン箱１１に穿設した開口窓１６から外部へ示す標示手段４１を具備したことを特徴とする。
【００１９】
この防犯サムターンユニットＣでは、開口窓１６に常に錠箱Ａの施解錠状態が標示され、従来の摘み回転位置によっては認識できなくなった施解錠状態が容易に確認可能となる。これにより、施錠から解錠、或いは解錠から施錠への認識が容易となり、誤操作をなくして、良好な操作性が得られる。
【００２０】
請求項７記載の防犯サムターンユニットＣは、請求項１，２，３，４，５，６のいずれか１つに記載の防犯サムターンユニットＣであって、前記サムターン箱１１の屋外側の面に、前記キーガイド２１の底部を覆う有底筒状の防犯カバー部材５１を固設したことを特徴とする。
【００２１】
この防犯サムターンユニットＣでは、キーガイド２１の底部が有底筒状の防犯カバー部材５１によって覆われ、例えば扉１の屋外側の面を破壊してキーガイド２１を直接回転しようとする不正解錠が困難となる。また、扉取付け時のサムターン箱１１内への木屑等の侵入が防止され、木屑の噛み込み等による誤動作が無くなって防犯サムターンユニットＣの信頼性が高まる。
【００２２】
【発明の実施の形態】
以下、本発明に係る防犯サムターンユニットの好適な実施の形態を図面を参照して詳細に説明する。
図１は本発明に係る防犯サムターンユニットの分解斜視図、図２は扉に取付けられた防犯サムターンユニットの縦断面図、図３は図２に示した防犯サムターンユニットの操作穴開口状態の縦断面図、図４は図２に示した防犯サムターンユニットの操作部材挿入状態の縦断面図である。
【００２３】
図２に示す扉１の内部には、錠箱Ａが内蔵される。扉１の屋外側の面には、錠箱Ａに対して屋外側からの施解錠操作を可能にするシリンダーユニットＢが取り付けれる。扉１の屋内側の面には、防犯サムターンユニットＣが取り付けられている。
【００２４】
錠箱Ａは、例えば扉１の木口側端部に内蔵され、錠箱Ａに固定された図示しないフロント板が扉１の木口（前端面）に露出して取り付けられる。この錠箱Ａ内には、図示しない施錠ボルトが内蔵される。この施錠ボルトは、後述のシリンダー錠及びサムターン（操作部材）の操作によって、錠箱Ａに対しスライドし、扉１のフロント板から進退されるようになっている。つまり、扉枠に対しての施解錠を可能とする。ここでは、その具体的な機構の説明は省略する。
【００２５】
シリンダーユニットＢには、屋外側シリンダー錠（シリンダー錠）３が内蔵される。シリンダー錠３は、鍵穴５をユニットケース７に表出している。シリンダー錠３は、鍵穴５に図示しない合鍵が挿入され、回転操作されることで、駆動軸９を介して錠箱Ａに回転力を入力し、施錠ボルトを進退可能としている。
【００２６】
防犯サムターンユニットＣは、扉１の屋内側に取付けられるサムターン箱１１を有している。サムターン箱１１は、例えば底面の開口した図１に示す小判型の箱体で形成され、正面には後述のキーガイドを表出させる操作穴としてのキーガイド穴１３と、後述のストッパを突出させるストッパ孔１４と、後述の開閉板２９を突出させる切欠１５と、後述の標示手段を表出させる開口窓１６とを有している。なお、１７，１７は、サムターン箱１１を扉１に固定するためのビス穴である。
【００２７】
防犯サムターンユニットＣには、サムターン摘みとして働く操作部材１９が挿入・抜脱自在に備えられる。操作部材１９は、摘み部１９ａと、キー状の挿入部１９ｂとからなる。防犯サムターンユニットＣでは、屋内における施解錠の操作においても、操作部材１９を使用することとなり、操作部材１９を抜いておくことで、屋内面には従来のサムターン摘みが突出せず、扉１や扉周辺の小窓などから針金を挿入されたり、手を差し入れるなどして行われる不正な行為による解錠操作が無効となり、防犯性が向上するようになっている。
【００２８】
操作部材１９は、専用のキーとすることができる。本実施の形態では、操作部材１９が、屋外側のシリンダー錠３を施解錠するための合鍵と共用となっている。このように、シリンダー錠３の合鍵と、操作部材１９とを同一とすることにより、屋外、屋内での施解錠操作が、１つの合鍵で行えるようになり、防犯性が確保されながら、操作性が高められる。
【００２９】
サムターン箱１１にはキーガイド２１が回動自在に内設され、キーガイド２１は操作部材１９の挿入部１９ｂが挿入されるキー孔２１ａを基端面２１ｂに有している。キー孔２１ａは、サムターン箱１１に穿設したキーガイド穴１３から屋内側へ表出される。本実施の形態において、キー孔２１ａは、屋外側シリンダー錠３の鍵穴と同形状で形成されている。これにより、上記したように屋外、屋内での施解錠操作が、１つの合鍵で行えるようになっている。このキーガイド２１の外周には、キーガイドギヤ２３が形成されている。
【００３０】
サムターン箱１１にはサムターンコア２５が回動自在に内設され、サムターンコア２５は後述する標示手段を介してキーガイド２１の回動に従動する。そして、サムターンコア２５は、先端部２５ａを錠箱Ａに連結して、キーガイド２１からの操作力を錠箱Ａへ入力可能としている。このサムターンコア２５の外周には、サムターンコアギヤ２７が形成されている。
【００３１】
サムターン箱１１には開閉板２９がスライド自在に設けられ、開閉板２９は一方のスライド位置イ（図３参照）でキーガイド穴１３を開口させるとともに、他方のスライド位置ロ（図２参照）でキーガイド穴１３を閉鎖する。本実施の形態では、切欠１５がサムターン箱１１の上方に位置し開閉板２９が、上下方向にスライド自在とされた例としたが、キーガイド穴１３の下方に切欠１５を位置させ、開閉板２９を上下方向にスライド自在としてもよく、或いは、キーガイド穴１３の右方や左方に切欠１５を設けて、左右方向に開閉板２９をスライド移動自在に構成することとしてもよい。
【００３２】
開閉板２９は、略凸字形状に形成され、中央起立部２９ａの上端が屋内側へ曲げられた折曲部２９ｂとなっている。中央起立部２９ａの左右は段部状の肩部２９ｃ，２９ｃとなり、この肩部２９ｃ，２９ｃには、サムターン箱１１との間に付勢手段としての圧縮コイルバネ３１，３１が配設されている。つまり、開閉板２９は、圧縮コイルバネ３１，３１によって、他方のスライド位置ロへ常に付勢されている。
【００３３】
また、サムターン箱１１には開閉板２９のスライドを阻止して、一方のスライド位置イ及び他方のスライド位置ロに開閉板２９を保持するストッパ３３が設けられている。ストッパ３３は、段付軸状に形成され、中央部が大径部３３ａ、両端が小径部３３ｂ，３３ｂとなる。一方、開閉板２９の中央起立部２９ａには、上下の丸孔３５ａをそれより幅狭のスリット孔３５ｂで接続したダルマ孔３５が形成されている。このダルマ孔３５は、スリット孔３５ｂに小径部３３ｂが挿通可能となり、丸孔３５ａに大径部３３ａが挿通可能となる。また、スリット孔３５ｂには大径部３３ａが挿通不能となっている。
【００３４】
ストッパ３３は、小径部３３ｂをダルマ孔３５に挿通し、その先端を、サムターン箱１１のストッパ孔１４から突出させている。ストッパ３３の後部にはバネ３７が外挿され、バネ３７はストッパ３３をストッパ孔１４から突出する方向へ付勢している。
【００３５】
ストッパ３３は、圧縮コイルバネ３１，３１によって他方のスライド位置ロへ配置され、キーガイド穴１３を閉鎖している。この際、ストッパ３３は、上側の丸孔３５ａに嵌入し、開閉板２９の上方向へのスライドを阻止している。
【００３６】
一方、開閉板２９を上側へスライドしてキーガイド穴１３を開放するには、ストッパ３３を押し込み、小径部３３ｂをスリット孔３５ｂに一致させる。これにより、開閉板２９は、大径部３３ａによる規制が解除されて上側へのスライドが可能となる。開閉板２９は、圧縮コイルバネ３１の付勢力に抗して折曲部２９ｂを摘んで上へ引き上げることでスライドされる。
【００３７】
開閉板２９が上端までスライドされると、ストッパ３３の大径部３３ａが下側の丸孔３５ａと一致し、ストッパ３３がバネ３７の付勢力によって突出される。これにより、大径部３３ａが丸孔３５ａに嵌入し、開閉板２９が一方のスライド位置イに保持された状態となる。つまり、キーガイド穴１３は、開放されたままの状態で保持される。
【００３８】
また、キーガイド穴１３の閉鎖は、ストッパ３３を押すのみで、大径部３３ａが丸孔３５ａから後退し、小径部３３ｂがスリット孔３５ｂに一致することで、開閉板２９が圧縮コイルバネ３１，３１によって下方へスライドされることになる。
【００３９】
このように、ストッパ３３を備えることで、開閉板２９が一方のスライド位置イに保持可能となり、キーガイド穴１３が開放状態のままとなって、操作性が良好となる。また、閉鎖されたキーガイド穴１３は、ストッパ３３を解除しながら、開閉板２９を付勢力に抗してスライドしなければ開口させることができず、複数の指による操作が必要となって、不正解錠に対する防犯性が高まる。さらに、開口状態のキーガイド穴１３は、ストッパ３３を操作することで、圧縮コイルバネ３１の付勢力によって開閉板２９が自動的にスライドされて閉鎖され、防犯状態への移行が容易となり、操作性が高まる。
【００４０】
また、サムターン箱１１の内部には、標示手段としての標示ギヤ４１が回転自在に設けられている。標示ギヤ４１は、円柱部４１ａと、それに連設した歯部４３とからなる。標示ギヤ４１は、本実施の形態では、キーガイド２１とサムターンコア２５との間に配置し、この歯部４３を、キーガイドギヤ２３とサムターンコアギヤ２７に噛合することで、キーガイド２１の回転操作力をサムターンコア２５へと伝達する。
【００４１】
標示ギヤ４１の端面４１ｂには視認用目印４５が設けられている。視認用目印４５は、標示ギヤ４１の所定の回転角度毎に、開口窓１６に異なる標示を行うようにした例えば色分け領域により構成されている。本実施の形態では、視認用目印４５が、例えば赤色の領域を約９０度の範囲として設けられている。これにより、サムターンコア２５と連動する標示ギヤ４１は、サムターンコア２５の回転状態をサムターン箱１１に穿設した開口窓１６から外部（屋内側）へ示せるようになっている。上記赤色の領域の例としては、解錠状態の際には開口窓１６より赤色の視認用目印４５が視認できるようになる。
【００４２】
従って、開口窓１６に常に錠箱Ａの施解錠状態が標示されることになり、操作部材１９が抜かれることによって認識できなくなった施錠ボルトの施解錠状態が容易に確認可能となる。これにより、施錠から解錠、或いは解錠から施錠への認識が容易となり、誤操作をなくして、良好な操作性が得られる。
【００４３】
サムターン箱１１の屋外側の面には、キーガイド２１の底部を覆う有底筒状の防犯カバー部材５１が固設されている。このようにして、キーガイド２１の底部が防犯カバー部材５１によって覆われることで、例えば扉１の屋外側の面を破壊してキーガイド２１を直接回転しようとする不正解錠が困難となる。また、扉取付け時のサムターン箱１１内への木屑や塵埃等の異物侵入が防止され、塵埃の噛み込み等による誤動作が無くなって防犯サムターンユニットＣの信頼性が高まる。
【００４４】
このように構成される防犯サムターンユニットＣの作用を説明する。
外出時、或いは就寝時には、サムターン箱１１から操作部材１９が抜取られた状態となる（図２の状態）。これにより、針金や棒等を用いて摘みを回転操作する不正解錠が阻止される。
また、ストッパ３３が操作され、開閉板２９が圧縮コイルバネ３１によって他方のスライド位置ロにスライドされた状態とされており、キーガイド穴１３が開閉板２９によって覆われ、キーガイド２１の不正操作がさらに困難となる。
【００４５】
一方、屋内側からの施解錠を行うには、図３に示すように、ストッパ３３を押して、開閉板２９の折曲部２９ｂを上方へ引き上げる。開閉板２９を最上端まで引き上げると、ストッパ３３はバネ３７の付勢力を受けて突出可能となり、このストッパ３３に対する押す状態を離せば、ストッパ３３の大径部３３ａがダルマ孔３５の下側の丸孔３５ａに嵌入して、図４に示すように、キーガイド穴１３が開放された状態で保持される。そして、キーガイド穴１３に表出したキー孔２１ａに操作部材１９の挿入部１９ｂを挿入して回転操作を行うことで、標示ギヤ４１を介してサムターンコア２５を回転させ、回転操作力が錠箱Ａに入力され、錠箱Ａ内の施解錠機構によって施錠ボルトが進退操作される。
【００４６】
また、キーガイド２１が回転されると、これと同時に標示ギヤ４１が回転され、サムターンコア２５の回転状態（すなわち、施解錠状態）が、開口窓１６を介して容易に把握されることになる。
【００４７】
従って、この防犯サムターンユニットＣによれば、屋内から回転操作力を錠箱Ａへ入力するには、操作部材１９をキーガイド２１に挿入し、サムターンコア２５を回転させて、錠箱Ａへ回転力を入力しなければならない。これにより、外出時や就寝時等、操作部材１９が抜かれている状態では、針金や棒等を用いて摘みを回転操作する不正解錠が阻止される。さらに、操作部材１９が抜かれている状態では、開閉板２９によってキーガイド穴１３が閉鎖可能となるので、キーガイド２１のキー孔２１ａを覆って、キー孔２１ａに針金や棒等を引っ掛けることによるキーガイド２１の回転操作も阻止され、不正解錠のより確実な防止が可能となる。
【００４８】
なお、上記の実施の形態では、標示ギヤ４１とサムターンコア２５とを別々に設ける構成を例に説明したが、防犯サムターンユニットＣは、標示ギヤ４１とサムターンコア２５と兼用する構成としてもよく、この場合には部品点数を削減して、装置のコンパクト化を図ることができる。
【００４９】
また、上記の実施の形態では、キーガイド２１がキー孔２１ａを有した回転体である場合を例に説明したが、キーガイド２１は、シリンダー錠であってもよい。このように、キーガイド２１にシリンダー錠を採用すれば、合鍵のみでしかキーガイドが回転操作できなくなり、不正解錠に対する防犯性がさらに高められる。
【００５０】
【発明の効果】
以上説明したように、本発明に係る請求項１記載の防犯サムターンユニットによれば、操作穴を介して操作部材の挿入されるキーガイドと、このキーガイドに従動して錠箱に操作力を入力するサムターンコアと、一方のスライド位置で操作穴を開口させるとともに他方のスライド位置で操作穴を閉鎖する開閉板とを設けたので、屋内から回転操作力を錠箱へ入力するには、操作部材をキーガイドに挿入し、サムターンコアを回転させて、錠箱へ回転力を入力しなければならない。従って、外出時や就寝時等、操作部材が抜かれている状態では、針金や棒等を用いた回転操作を阻止することができる。さらに、操作部材が抜かれている状態では、開閉板によって操作穴を閉鎖できるので、キーガイドのキー孔を覆って、キー孔に針金や棒等を引っ掛けることによるキーガイドの回転操作も阻止でき、不正解錠を確実に防止することができる。
【００５１】
請求項２記載の防犯サムターンユニットによれば、開閉板を一方のスライド位置及び他方のスライド位置に保持するストッパを設けたので、このストッパによって開閉板を一方のスライド位置に保持して、操作穴を開放状態にでき、操作性を良好にすることができる。また、閉鎖された操作穴は、ストッパを解除しながら、開閉板をスライドしなければ開口させることができず、不正解錠に対する防犯性を高めることができる。
【００５２】
請求項３記載の防犯サムターンユニットによれば、開閉板を他方のスライド位置へ付勢する付勢手段を設けたので、開閉板は、この付勢手段によって、他方のスライド位置である操作穴の閉鎖状態を保とうとすることとなり、この操作穴が開放状態のままにならず、自動的にスライドして閉鎖状態が保たれる。
また、この付勢手段と、前記ストッパとを備える構成とすることで、閉鎖された操作穴は、ストッパを解除しながら、開閉板を付勢力に抗してスライドしなければ開口させることができず、不正解錠に対する防犯性を高めることができる。さらに、開口状態の操作穴は、ストッパを操作することで、付勢手段の付勢力によって開閉板が自動的にスライドされて閉鎖されるので、防犯状態移行への操作性を高めることができる。
【００５３】
請求項４記載の防犯サムターンユニットによれば、キー孔が、屋外側シリンダー錠の鍵穴と同形状で形成されているので、屋外、屋内での施解錠操作を、１つの合鍵で行うことができ、操作性を向上させることができる。
【００５４】
請求項５記載の防犯サムターンユニットによれば、キーガイドが、シリンダー錠であるので、合鍵のみでしかキーガイドが回転操作できなくなり、針金や棒等を用いた不正解錠に対する防犯性をさらに高めることができる。
【００５５】
請求項６記載の防犯サムターンユニットによれば、サムターンコアの回転に従動してサムターンコアの回転状態を示す標示手段を設けたので、開口窓に常に錠箱の施解錠状態が標示され、従来の摘み回転位置によっては認識できなくなった施解錠状態を容易に確認することができ、施錠から解錠、或いは解錠から施錠への認識が容易となり、誤操作をなくして、良好な操作性を得ることができる。
【００５６】
請求項７記載の防犯サムターンユニットによれば、キーガイドの底部を覆う有底筒状の防犯カバー部材をサムターン箱の屋外側の面に固設したので、例えば扉の屋外側の面を破壊してキーガイドを直接回転しようとする不正解錠を困難にすることができる。また、扉取付け時のサムターン箱内への塵埃や木屑等の侵入も防止することができる。
【図面の簡単な説明】
【図１】本発明に係る防犯サムターンユニットの分解斜視図である。
【図２】扉に取付けられた防犯サムターンユニットの縦断面図である。
【図３】図２に示した防犯サムターンユニットの操作穴開口状態の縦断面図である。
【図４】図２に示した防犯サムターンユニットの操作部材挿入状態の縦断面図である。
【符号の説明】
１…扉
３…シリンダー錠
５…屋外側シリンダー錠の鍵穴
１１…サムターン箱
１３…操作穴（キーガイド穴）
１６…開口窓
１９…操作部材
１９ｂ…キー状の挿入部
２１…キーガイド
２１ａ…キー孔
２１ｂ…基端面
２５…サムターンコア
２５ａ…先端部
２９…開閉板
３１…付勢手段（圧縮コイルバネ）
３３…ストッパ
４１…標示手段（標示ギヤ）
５１…防犯カバー部材
Ａ…錠箱
Ｃ…防犯サムターンユニット
イ…一方のスライド位置
ロ…他方のスライド位置
【図１】
2005009181.tif 000003
【図２】
2005009181.tif 000004
【図３】
2005009181.tif 000005
【図４】
2005009181.tif 000006